【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
文書コーパスの検索を可能にする方法であって、
各々がクエリ状態を示す２又はそれ以上の区画を有するグラフィカルユーザインターフェイスを表示するステップと、
検索文字列の受け取りに応答して、前記検索文字列の少なくとも部分に基づいて意味的用語を生成するステップと、
検索文字列の受け取りに応答して、最初の検索クエリを生成するステップであって、前記最初の検索クエリのクエリ語は前記意味的用語の１又はそれ以上を含み、前記最初の検索クエリはデータベースを検索し、表示する電子文書の組をリターンさせるために使用当該ステップと、
前記グラフィカルユーザインターフェイスにおける第１の区画から第２の区画への選択されたクエリ語の動きに応答して、当該クエリ語の動きに付随する前記グラフィカルユーザインターフェイス内の前記選択されたクエリ語の位置に基づいて、修正された検索クエリをコンピュータにより生成するステップとを含み、
前記グラフィカルユーザインターフェイスにおける前記第１の区画から前記第２の区画への前記選択したクエリ語の動きにより、前記選択されたクエリ語のクエリ状態が第１のクエリ状態から第２のクエリ状態に変化し、さらに、
前記修正された検索クエリを使用して前記データベースを検索し、更新された電子文書の組を戻して表示するステップを含む、
ことを特徴とする方法。
【請求項２】
前記グラフィカルユーザインターフェイス内に入力された前記クエリ語を、対応するクエリ状態を示す、前記グラフィカルユーザインターフェイス内の前記クエリ語の位置に基づく状態表示フォーマットでフォーマットして表示するステップをさらに含むことを特徴とする請求項１に記載の方法。
【請求項３】
前記グラフィカルユーザインターフェイスの第１の区画内のクエリ語は、該クエリ語に関連する第１の状態表示フォーマットを有し、
前記グラフィカルユーザインターフェイスの第２の区画内のクエリ語は、該クエリ語に関連する第２の状態表示フォーマットを有することを特徴とする請求項２に記載の方法。
【請求項４】
前記状態表示フォーマットは、フォントカラー、フォントサイズ、フォントフォーマット、アイコン、又はこれらの組み合わせであることを特徴とする請求項２に記載の方法。
【請求項５】
前記クエリ状態は、演算子状態、関連性状態、関係状態、又はこれらの組み合わせを含むことを特徴とする請求項１に記載の方法。
【請求項６】
前記演算子状態は、「ａｎｄ」演算子、「ｏｒ」演算子、「ａｎｄ  ｎｏｔ」演算子、及び無視演算子のうちの１つであることを特徴とする請求項５に記載の方法。
【請求項７】
前記グラフィカルユーザインターフェイスの個々の区画は、個々の演算子状態に対応することを特徴とする請求項６に記載の方法。
【請求項８】
前記クエリ語の関連性状態は、前記グラフィカルユーザインターフェイスの区画内の前記クエリ語の前記位置に基づくことを特徴とする請求項６に記載の方法。
【請求項９】
前記区画の１又はそれ以上は、第１の領域及び第２の領域を含み、
前記第１の領域内のクエリ語には、第１の関連性重みが割り当てられ、前記第２の領域内のクエリ語には、前記最初の検索クエリ又はその後の修正された検索クエリ内の第２の関連性重みが割り当てられることを特徴とする請求項８に記載の方法。
【請求項１０】
選択したクエリ語を前記第１の領域から前記第２の領域に移動することにより、前記選択したクエリ語の関連性重みが前記第１の関連性重みから前記第２の関連性重みに変化することを特徴とする請求項９に記載の方法。
【請求項１１】
前記区画の１又はそれ以上は、追加の関連性重みを有する追加領域をさらに含む請求項９に記載の方法。
【請求項１２】
第１の選択されたクエリ語が第２の選択されたクエリ語に近接して配置されたことに応答して、
前記第１の選択されたクエリ語及び前記第２の選択されたクエリ語を含むｏｒグループボックスを表示するステップと、
前記修正された検索クエリが、前記第１の選択されたクエリ語と前記第２の選択されたクエリ語の間のブール「ｏｒ」演算子を含むように、前記修正された検索クエリを前記コンピュータにより生成するステップと、
を更に含むことを特徴とする請求項１に記載の方法。
【請求項１３】
前記修正された検索クエリを使用して前記データベースを検索し、更新された電子文書の組を戻して表示する前に、前記クエリ作成ワークスペースの操作を示す視覚的指示を表示するステップと、
前記修正された検索クエリを使用して前記データベースを検索し、更新された電子文書の組を戻して表示した後に、前記更新された電子文書の組を表示するステップと、
をさらに含むことを特徴とする請求項１に記載の方法。
【請求項１４】
データベースをサーチするために検索クエリの生成を可能にする方法であって、
サーチ文字列の提出を要求するサーチ文字列用フィールドを提示するステップと、
サーチ開始アイコンを提示するステップであって、当該サーチ開始アイコンの選択により、前記サーチ文字列の少なくとも一部に基づいて最初の検索クエリを開始する当該ステップと、
各区画がクエリ状態に対応する複数の区画を含むクエリー展開ワークスペースを提示するステップと、
前記サーチ開始アイコンの選択に応答して、
(a)前記サーチ文字列の少なくとも一部に基づいて意味的用語の生成と、
(b)前記意味的用語の少なくとも一部に基づいて前記最初の検索クエリの生成と、
(c)一組の電子ドキュメントを返送するため、前記最初の検索クエリを用いた前記データベースのサーチと、
を可能にするステップと、
前記意味的用語のクエリ状態に従い、前記クエリー展開ワークスペースの選択において前記意味的用語を読み込むステップと、
前記クエリー展開ワークスペースにおける第１の区画から第２の区画への選択された意味的用語の動きに応答して、当該意味的用語の動きに付随する前記クエリー展開ワークスペースの区画内にある前記選択された意味的用語の位置に基づき、修正された検索クエリをコンピュータにより生成するステップであって、前記選択された意味的用語の動きは、前記選択された意味的用語のクエリ状態が第１のクエリ状態から第２のクエリーステータスへと変化させる当該ステップと、
更新された電子文書の組を戻して表示するために、前記修正された検索クエリを用いながら前記データベースをサーチするステップと、
戻された前記電子文書の組及び／又は前記更新された電子文書の組をグラフィックで示すサーチ結果パネルを提示するステップと、
を含む方法。
【請求項１５】
前記クエリー展開ワークスペース内で意味的用語をフォーマットするステップを更に含み、  前記クエリー展開ワークスペースの第１の区画内の意味的用語は、当該意味的用語に関連する第１のステータス表示フォーマットをもち、
前記クエリー展開ワークスペースの第２の区画内の意味的用語は、当該意味的用語に関連する第２のステータス表示フォーマットをもつ、
ことを特徴とする請求項１４に記載の方法。
【請求項１６】
前記クエリ状態は、オペレータステータス、関連ステータス、リレーションステータス、又はこれらの組み合わせを含み、
前記オペレータステータスは、“and”オペレータ、“or”オペレータ、“and not”オペレータ、及び無効オペレータであり、
グラフィカルユーザインターフェイスの個々の区画は、個々のオペレータステータスに対応し、
前記意味的用語の関連ステータスは、前記クエリー展開ワークスペースの区画内の意味的用語の位置に基づいている、
ことを特徴とする請求項１４に記載の方法。
【請求項１７】
第１の意味的用語に近接した位置に第２の意味的用語を配置することに応答して、
前記第１の意味的用語及び前記第２の意味的用語を含むリレーション・ボックスを生成するステップと、
前記第１の意味的用語及び前記第２の意味的用語との間のオペレータを含むように前記修正された検索クエリを生成するステップと、
を更に含む、請求項１４に記載の方法。
【請求項１８】
文書コーパスの検索を可能にするためのシステムであって、
実行可能命令セットを記憶する非一時的メモリ要素を含むコンピュータ装置を備え、前記実行可能命令セットは、
検索文字列の受け取りに応答して、前記検索文字列の少なくとも部分的に基づいて意味的用語を生成すること、
検索文字列の受け取りに応答して、前記意味的用語の少なくとも部分的に基づいて最初の検索クエリを生成することであって、前記最初の検索クエリのクエリー語は１以上の意味的用語を含み、
前記最初の検索クエリを用いながらデータベースの検索を開始し、電子文書の組を戻すこと、
２又はそれ以上の区画を有するグラフィカルユーザインターフェイスを表示することであって、各区画が、オペレータステータス、関連ステータス、リレーションステータス、又はこれらの組み合わせを含むクエリ状態を示し、
前記最初の検索クエリ内の前記意味的用語のクエリ状態に基づいて、前記グラフィカルユーザインターフェイスの前記区画内に前記意味的用語を読み込むこと、
前記グラフィカルユーザインターフェイスにおける第１の区画から第２の区画への選択された意味的用語の動きに応答して、当該意味的用語の動きに付随する前記グラフィカルユーザインターフェイス内の前記選択された意味的用語の位置に基づき、修正された検索クエリを生成し、そして、前記グラフィカルユーザインターフェイスにおける前記第１の区画から前記第２の区画への前記選択した意味的用語の動きにより、前記選択した意味的用語のクエリ状態が第１のクエリ状態から第２のクエリ状態に変化させること、さらに、
前記修正された検索クエリを使用して前記データベースの更新された検索を開始し、更新された電子文書の組を戻して表示すること、
を前記コンピュータ装置に行わせるシステム。
【請求項１９】
前記コンピュータ装置に、
前記第１の意味的用語及び前記第２の意味的用語を含むリレーション・ボックスを生成させること、
前記第１の意味的用語及び前記第２の意味的用語との間のオペレータを含むように前記修正された検索クエリを生成すること、
を更に行わせる、請求項１８に記載のシステム。
【請求項２０】
文書コーパスの検索を可能にする方法であって、
２又はそれ以上の区画を有するグラフィカルユーザインターフェイスを表示するステップであって、前記グラフィカルユーザインターフェイスの各区画がクエリ状態を示す当該ステップと、
検索文字列の受け取りに応答して、前記検索文字列の少なくとも部分に基づいて意味的用語を生成するステップと、
検索文字列の受け取りに応答して、最初の検索クエリを生成するステップであって、前記最初の検索クエリのクエリ語は前記意味的用語の１又はそれ以上を含み、前記最初の検索クエリはデータベースを検索し、電子文書の組を戻して表示する当該ステップと、
前記グラフィカルユーザインターフェイスの第１の区画から選択されたクエリ語をドラッグして、そのクエリ語を第２の区画の中にドロップすることに応答して、前記クエリ語のドラッグ/ドロップに付随する前記グラフィカルユーザインターフェイス内にある前記選択されたクエリ語の位置に基づき、修正された検索クエリをコンピュータにより生成するステップであって、前記グラフィカルユーザインターフェイスの第１の区画から第２の区画への前記選択されたクエリ語のドラッグ/ドロップは、前記選択されたクエリ語のクエリ状態が第１のクエリ状態から第２のクエリーステータスへと変化させる当該ステップと、
更新された電子文書の組を戻して表示するために、前記修正された検索クエリを用いながら前記データベースをサーチするステップと、
を含む方法。